(57)【要約】 【課題】  基本波の高周波信号の周波数特性を維持し、基本波の奇数倍の周波数の高調波信号を反射、減衰させること。【解決手段】  特定の周波数に対応する電気長を有する複数の特定インピーダンスを並べて成るインピーダンス変換器において、前記複数の特定インピーダンスのうち信号入力側に形成された前記特定インピーダンスには、基本波の周波数の所定倍数の周波数を有する信号の通過を抑えるインピーダンス値を有する少なくとも１つのスタブが形成される。【選択図】図１
2016052111.tif 000002
【特許請求の範囲】
【請求項１】
特定の周波数に対応する電気長を有する複数の特定インピーダンスを並べて成るインピーダンス変換器において、
前記複数の特定インピーダンスのうち信号入力側に形成された前記特定インピーダンスには、基本波の周波数の所定倍数の周波数を有する信号の通過を抑えるインピーダンス値を有する少なくとも１つのスタブが形成される、
ことを特徴とするインピーダンス変換器。
【請求項２】
前記スタブが形成される前記特性インピーダンスのインピーダンス値は、前記基本波の特性を維持するためのインピーダンス値以下であることを特徴とする請求項１記載のインピーダンス変換器。
【請求項３】
前記スタブの長さは、前記基本波の周波数の前記所定倍数の前記周波数を有する信号と、前記特定の周波数とに基づいて設定されることを特徴とする請求項１記載のインピーダンス変換器。
【請求項４】
前記スタブは、前記基本波の所定倍数のうち３倍の周波数を有する信号の通過を抑え、
前記スタブの特性インピーダンス値は、当該スタブが形成される前記特定インピーダンスのインピーダンス値の５倍以上のインピーダンス値を有する、
ことを特徴とする請求項１記載のインピーダンス変換器。
【請求項５】
前記スタブは、前記インピーダンス値が４Ω以下となる前記特定インピーダンスに形成されることを特徴とする請求項１記載のインピーダンス変換器。
【請求項６】
前記基本波の所定倍数のうち３倍の周波数を有する信号の通過を抑える前記スタブの前記特性インピーダンスは、当該特性インピーダンスの値と前記基本波でのインピーダンス値との割合により求められる反射係数Γが、
Γ≧０．６７  
となる値に設定されることを特徴とする請求項４記載のインピーダンス変換器。
【請求項７】
前記信号入力側の前記特定インピーダンスには、前記スタブが複数設けられ、
当該複数のスタブは、それぞれ異なる前記所定倍数を有する周波数に対応する長さに形成される、
ことを特徴とする請求項１記載のインピーダンス変換器。
【請求項８】
前記スタブは、前記信号入力側の前記特定インピーダンスにおける低インピーダンス値を有する側に形成され、かつ前記基本波の所定倍数の周波数を有する前記信号に含まれる高周波数の信号の通過を抑える長さを有する第１のスタブと、
前記信号入力側の前記特定インピーダンスにおける高インピーダンス値を有する側で、かつ前記基本波の所定倍数の周波数を有する前記信号に含まれる低周波数の信号の通過を抑える長さを有する第２のスタブと、
を含むことを特徴とする請求項１記載のインピーダンス変換器。
【発明の詳細な説明】
【技術分野】
【０００１】
本発明の実施形態は、特定の周波数に対応する電気長を有する複数の特定インピーダンスを並べたインピーダンス変換器に関する。
【背景技術】
【０００２】
高周波回路では、インピーダンスマッチングを行い、高周波信号の減衰を少なくするためにインピーダンス変換器が用いられる。このインピーダンス変換器では、高周波信号の基本波（基本周波数ｆ０）の周波数特性を維持する必要がある。
【０００３】
インピーダンス変換器では、基本波ｆ０の高周波信号をインピーダンス変換すると、該基本波ｆ０の奇数倍の周波数、例えば３倍、５倍、７倍等の周波数３・ｆ０、５・ｆ０、７・ｆ０の高調波信号もインピーダンス変換されて当該インピーダンス変換器を通過してしまう。この奇数倍の周波数の高調波信号がインピーダンス変換器を通過すると、これら高調波信号が基本波ｆ０の高周波信号に影響を与え、例えば基本波ｆ０の高周波信号にひずみを生じさせてしまう。
【先行技術文献】
【特許文献】
【０００４】
【特許文献１】特開２００５−３０３７７１号公報
【発明の概要】
【発明が解決しようとする課題】
【０００５】
インピーダンス変換器では、基本波ｆ０の高周波信号の周波数特性を維持し、基本波ｆ０の奇数倍の周波数の高調波信号を反射、減衰させることが要求される。
【課題を解決するための手段】
【０００６】
実施形態によれば、特定の周波数に対応する電気長を有する伝送線路上に複数の特性インピーダンスが形成されたインピーダンス変換器において、前記複数の特性インピーダンスのうち前記伝送線路上の信号入力側に形成された前記特性インピーダンスには、基本波の周波数の所定倍数の周波数を有する信号の通過を抑えるスタブが形成される。
【図面の簡単な説明】
【０００７】
【図１】第１の実施の形態のマイクロストリップラインモデルによる４段λ／４長インピーダンス変換器を示す構成図である。
【図２】同インピーダンス変換器の具体的な構造を示す図である。
【図３】同インピーダンス変換器の周波数に対する利得特性を示す図である。
【図４】同インピーダンス変換器と比較するためのスタブを形成していないインピーダンス変換器の周波数に対する利得の特性を示す図である。
【図５】同インピーダンス変換器においてスタブの特性インピーダンスを５倍以上のインピーダンス値とすることを説明するための３倍の特性インピーダンスの利得特性を示す図である。
【図６】同インピーダンス変換器においてスタブの特性インピーダンスを５倍以上のインピーダンス値とすることを説明するための４倍の特性インピーダンスの利得特性を示す図である。
【図７】同インピーダンス変換器においてスタブの特性インピーダンスを５倍以上のインピーダンス値とすることを説明するための５倍の特性インピーダンスの利得特性を示す図である。
【図８】同インピーダンス変換器においてスタブの特性インピーダンスを５倍以上のインピーダンス値とすることを説明するための６倍の特性インピーダンスの利得特性を示す図である。
【図９】同インピーダンス変換器において各スタブの線路の長さを設定したときの周波数特性の改善を説明するための図である。
【図１０】同インピーダンス変換器において各スタブの線路の長さによる周波数特性の改善前の周波数に対する利得の特性を示す図である。
【図１１】同インピーダンス変換器において１本のスタブの特性インピーダンスを５倍のインピーダンス値を有する場合の周波数に対する利得の特性を示す図である。
【図１２】同インピーダンス変換器において１本のスタブの特性インピーダンスを１０倍のインピーダンス値を有する場合の周波数に対する利得の特性を示す図である。
【図１３】同インピーダンス変換器において１本のスタブの特性インピーダンスを２０倍のインピーダンス値を有する場合の周波数に対する利得の特性を示す図である。
【図１４】同インピーダンス変換器において４本のスタブを形成したインピーダンス変換器の構成図を示す図である。
【図１５】同インピーダンス変換器において周波数に対する利得の特性を示す図である。
【発明を実施するための形態】
【０００８】
［第１の実施の形態］  
以下、第１の実施の形態について図面を参照して説明する。  
図１はマイクロストリップラインモデルによる４段λ／４長インピーダンス変換器（以下、単にインピーダンス変換器と称する）１の構成図を示し、図２（ａ）（ｂ）（ｃ）は同インピーダンス変換器の具体的な構造を示す。  
このインピーダンス変換器１は、図１及び図２（ａ）に示すように特定の周波数に対応する電気長を有し、複数段の特性インピーダンス、ここでは４段として特性インピーダンスＺ１〜Ｚ４を直列に接続した伝送線路として構成される。
【０００９】
このインピーダンス変換器１には、例えは、高周波信号としてＵＨＦ（極超短波）帯の高周波信号が流れる。この高周波信号は、特性インピーダンスＺ１に入力し、各特性インピーダンスＺ２、Ｚ３に流れ、特性インピーダンスＺ４から出力される。これにより、特性インピーダンスＺ１は、信号入力側となり、特性インピーダンスＺ４は信号出力側となる。  
これら伝送線路の特性インピーダンスＺ１〜Ｚ４のインピーダンス値の大きさの関係は、  
Ｚ１≦Ｚ２≦Ｚ３≦Ｚ４                          …（１）  
である。
【００１０】
このインピーダンス変換器１において、ＺＡ〜ＺＥは、それぞれの箇所のインピーダンス値を示す。インピーダンス値ＺＡは、特性インピーダンスＺ１における低インピーダンス側のインピーダンス値を示す。インピーダンス値ＺＢは、特性インピーダンスＺ１における高インピーダンス側のインピーダンス値を示す。以下、同様に、インピーダンス値ＺＣは、特性インピーダンスＺ２における低インピーダンス側のインピーダンス値を示し、インピーダンス値ＺＤは、特性インピーダンスＺ３における高インピーダンス側のインピーダンス値を示す。インピーダンス値ＺＥは、特性インピーダンスＺ４における高インピーダンス側のインピーダンス値を示す。
【００１１】
又、Ｌ１〜Ｌ４は、それぞれ各特性インピーダンスＺ１〜Ｚ４の線路長さを示す。Ｌ１は特性インピーダンスＺ１の線路長さであり、Ｌ２は特性インピーダンスＺ２の線路長さであり、Ｌ３は特性インピーダンスＺ３の線路長さであり、Ｌ４は特性インピーダンスＺ４の線路長さである。これら特性インピーダンスＺ１〜Ｚ４の線路長さＬ１〜Ｌ４は、４分の１波長（λ／４）と、高周波信号の基本波（基本周波数ｆ０）との乗算値にほぼ等しい。  
Ｌ１，Ｌ２，Ｌ３，Ｌ４≒（λ／４）・ｆ０        …（２）
このインピーダンス変換器１のインピーダンス変換の具体例を説明すると、当該インピーダンス変換器１が理想的であれば、例えば入力インピーダンス値（０Ω）から出力インピーダンス値（５０Ω）にインピーダンス変換する。実際には、インピーダンス変換器１は、インピーダンス値２．０８Ωから４８．５Ωにインピーダンス変換する。
【００１２】
具体的に、１段目の特性インピーダンスＺ１では、入力側のインピーダンス値ＺＡ（＝約２．０８Ω）から出力側のインピーダンス値ＺＢ（４．２２Ω）にインピーダンス変換する。  
２段目の特性インピーダンスＺ２では、前段の特性インピーダンスＺ１の出力側のインピーダンス値ＺＢ（４．２２Ω）から出力側のインピーダンス値ＺＣ（１２．９Ω）にインピーダンス変換する。  
３段目の特性インピーダンスＺ３では、前段の特性インピーダンスＺ２の出力側のインピーダンス値ＺＢ（４．２２Ω）から出力側のインピーダンス値ＺＤ（約３４．１Ω）にインピーダンス変換する。  
４段目の特性インピーダンスＺ４では、前段の特性インピーダンスＺ３の出力側のインピーダンス値ＺＢ（３４．１Ω）から出力側のインピーダンス値ＺＥ（約４８．５Ω）にインピーダンス変換する。  
なお、上記各段の特性インピーダンスＺ１、Ｚ２、Ｚ３、Ｚ４のインピーダンスの変換値は、一例であって、他のインピーダンス値に変換してもよい。
【００１３】
当該インピーダンス変換器１において、特性インピーダンスＺ１、すなわち複数の特性インピーダンスＺ１〜Ｚ４のうち信号入力側に形成された特性インピーダンスＺ１には、複数のスタブ、例えば２つのスタブとして第１のスタブＳ１と、第２のスタブＳ２とが形成されている。  
これら第１と第２のスタブＳ１、Ｓ２は、基本波の周波数ｆ０の所定倍数、例えば奇数倍である３倍の周波数３・ｆ０を有する高周波信号の通過を抑えるインピーダンス値Ｚ５、Ｚ６を持つ。
【００１４】
これらスタブＳ１、Ｓ２が形成される箇所、すなわち特性インピーダンスＺ１〜Ｚ４を直列接続した伝送線路上の箇所は、伝送線路上のインピーダンス値が４Ω以下の箇所である。このインピーダンス値（４Ω以下）は、基本波の周波数ｆ０の高周波信号の特性を維持するためのインピーダンス値である。
【００１５】
具体的に、第１のスタブＳ１は、１段目の特性インピーダンスＺ１の信号入力側（低インピーダンスＺＡ側）の端部Ｚ１ａの例えばインピーダンス値が２．０８Ωの箇所に形成されている。この第１のスタブＳ１は、図２（ｂ）に示すように特性インピーダンスＺ１における信号入力側の端部Ｚ１ａにおいて一部が重なって形成されている。
【００１６】
第２のスタブＳ２は、１段目の特性インピーダンスＺ１における信号出力側（高インピーダンスＺＢ側）の端部Ｚ１ｂを含む各特性インピーダンスＺ１とＺ２との間におけるインピーダンス値４Ω以下の箇所に形成されている。なお、１段目の特性インピーダンスＺ１では、上記の通り、出力側のインピーダンス値ＺＢが４．２２Ωであるので、第２のスタブＳ２は、インピーダンス値が４Ω以下となる箇所として例えば特性インピーダンスＺ１の端部Ｚ１ｂに形成されている。この第２のスタブＳ２も、上記第１のスタブＳ１と同様に、図２（ｂ）に示すように特性インピーダンスＺ１における信号出力側の端部Ｚ１ｂにおいて一部が重なって形成されている。  
なお、この第２のスタブＳ２は、特性インピーダンスＺ１の高インピーダンス側（ＺＢ側）に限らず、インピーダンス値が４Ω以下の箇所であれば、例えば特性インピーダンスＺ１と特性インピーダンスＺ２との間の伝送線路上に形成してもよいし、又は、インピーダンス値が４Ω以下となる特性インピーダンスＺ１上、又はＺ２上に形成することも可能である。
【００１７】
これらスタブＳ１、Ｓ２の特性インピーダンスＺ５、Ｚ６は、それぞれ当該スタブＳ１、Ｓ２が形成される特性インピーダンスＺ１のインピーダンス値の５倍以上のインピーダンス値を有する。これらスタブＳ１、Ｓ２のインピーダンス値と、上記特性インピーダンスＺ１〜Ｚ４のインピーダンス値との大きさの関係は、上記式（１）を用いて、  
Ｚ１≦Ｚ２≦Ｚ３≦Ｚ４≦Ｚ５≦Ｚ６              …（３）  
となる。
【００１８】
又、スタブＳ１、Ｓ２の線路の長さＬ５、Ｌ６は、それぞれ基本波の周波数ｆ０の３倍の周波数３・ｆ０を有する高周波信号と、特定の周波数、例えば周波数３・ｆ０とに基づいて設定される。これらスタブＳ１、Ｓ２の線路の長さＬ５、Ｌ６は、次式により求められる。  
Ｌ５，Ｌ６≒（λ／４）・３・ｆ０                    …（４）  
又、これらスタブＳ１、Ｓ２の線路の長さＬ５、Ｌ６は、線路の長さＬ５よりも線路の長さＬ６の方が長い、すなわち、  
Ｌ５≦Ｌ６ 
の関係がある。
【００１９】
これらスタブＳ１、Ｓ２の線路の特性インピーダンスＺ５、Ｚ６、すなわち、基本波の周波数ｆ０の３倍の周波数３・ｆ０を有する高周波信号の通過を抑えるスタブＳ１、Ｓ２の線路の特性インピーダンスＺ５、Ｚ６は、当該特性インピーダンスＺ５、Ｚ６のインピーダンス値と基本波でのインピーダンス値との割合により求められる反射係数Γ、  
Γ＝（Ｚｃ−３ｒｄ−Ｚｆ０）／（Ｚｃ−３ｒｄ＋Ｚｆ０）    …（５）  
が、  
Γ≧０．６７                                    …（６）  
となる値に設定される。  
ここで、Ｚｃ−３ｒｄは、３倍の周波数３・ｆ０のスタブＳ１、Ｓ２の特性インピーダンス値であり、Ｚｆ０は、基本波のスタブＳ１、Ｓ２の特性インピーダンス値である。  
又、これらスタブＳ１、Ｓ２は、それぞれ異なる所定倍数、例えば３倍、５倍を有する周波数に対応する長さＬ５、Ｌ６に形成可能である。
【００２０】
このうちスタブＳ１は、特性インピーダンスＺ１における低インピーダンス側（ＺＡ側）に形成され、かつ基本波の３倍の周波数を有する高周波信号の通過を抑える線路の長さＬ５を有する。  
第２のスタブＳ２は、特性インピーダンスＺ１における高インピーダンス側（ＺＢ側）で、かつ基本波の３倍の周波数を有する高周波信号に含まれる低周波数の信号の通過を抑える線路の長さＬ６を有する。  
なお、当該インピーダンス変換器１が例えば広帯域ドハティアンプを用いた高周波増幅回路におけるインピーダンス変換に用いるとすると、この広帯域ドハティアンプでは、例えば図２（ｃ）に示すように２枚の基板１０、１１を用いるものと想定してインピーダンス変換器１を構成する。  
これら基板１０、１１のうち一方の基板１０は、低インピーダンス側の特性インピーダンスＺ１、Ｚ２を形成するものであり、この基板１０上には、特性インピーダンスＺ１、Ｚ２のストリップライン１２が形成されている。このストリップライン１２は、例えば銅により形成されている。
【００２１】
他方の基板１１は、高インピーダンス側の特性インピーダンスＺ３、Ｚ４を形成するものであり、この基板１１上には、特性インピーダンスＺ３、Ｚ４のストリップライン１３が形成されている。このストリップライン１３も例えば銅箔により形成されている。
【００２２】
上述の基板１０の誘電率は、基板１１よりも大きい。また、基板１０の厚みは基板１１よりも厚い。  
このような構成のインピーダンス変換器１であれば、特性インピーダンスＺ１における低インピーダンス側（ＺＡ側）に形成され、かつ基本波の３倍の周波数を有する高周波信号の通過を抑える線路の長さＬ５を有する第１のスタブＳ１と、特性インピーダンスＺ１における高インピーダンス側（ＺＢ側）で、かつ基本波の３倍の周波数を有する高周波信号に含まれる低周波数の信号の通過を抑える線路の長さＬ６を有する第２のスタブＳ２とを形成したので、例えば図３に示すような周波数に対する利得の特性を示す。同図においてＱは反射特性を示し、Ｒは電力の通過特性を示す。基本波の周波数ｆ０を含む基本波の周波数帯Ｋ０、例えば４７０ＭＨｚ、６３５ＭＨｚ、８００ＭＨｚを含む周波数帯Ｋ０では、反射特性Ｑが小さく、例えば−３０ｄＢ以下の値を示し、電力の通過特性Ｒが大きな値を示す。なお、反射特性Ｑが例えば−３０ｄＢ以下の値であれば、基本波の周波数ｆ０を含む周波数帯Ｋ０における周波数特性を維持できるものである。従って、基本波の周波数ｆ０を含む周波数帯Ｋ０では、基本波の周波数ｆ０を含む周波数帯Ｋ０において、当該基本波ｆ０の高周波信号の周波数特性を維持できる。
【００２３】
これに対して基本波の周波数ｆ０の３倍の周波数３・ｆ０を含む周波数帯Ｋ３では、基本波の周波数ｆ０を含む周波数帯Ｋ０と比較して反射特性Ｑが大きくなり、電力の通過特性Ｒが小さな値を示す。この周波数３・ｆ０を含む周波数帯Ｋ３は、例えば１７００ＭＨｚ、１９０５ＭＨｚ、２０５５ＭＨｚを含む。しかるに、３倍の周波数３・ｆ０を含む周波数帯Ｋ３では、当該周波数３・ｆ０を含む高周波信号が反射し、減衰していることが分かる。
【００２４】
図４はスタブＳ１、Ｓ２を形成していないインピーダンス変換器の周波数に対する利得の特性を示す。このインピーダンス変換器では、周波数３・ｆ０を含む周波数帯Ｋ３において、反射特性Ｑが小さく、電力の通過特性Ｒが大きな値を示す。従って、同周波数帯Ｋ３では、周波数３・ｆ０を含む周波数帯Ｋ３の高周波数信号が反射せず、減衰させずに通過することが分かる。
【００２５】
よって、図３に示す本実施の形態のインピーダンス変換器１は、図４に示す本実施の形態のスタブＳ１、Ｓ２の無いインピーダンス変換器と比較して周波数３・ｆ０における反射特性Ｑが大幅に小さくなり、電力の通過特性Ｒも大幅に大きな値を示すものとなる。
【００２６】
又、スタブＳ１、Ｓ２の特性インピーダンスＺ５、Ｚ６は、それぞれ当該スタブＳ１、Ｓ２が形成される特性インピーダンスＺ１のインピーダンス値の５倍以上のインピーダンス値を有し、反射係数Γが上記式（５）及び（６）に示すようにΓ≧０．６７となる値に設定されるので、基本波の周波数ｆ０を含む周波数帯Ｋ０における反射特性Ｑの劣化を小さくできる。すなわち、図５はスタブＳ１、Ｓ２の特性インピーダンスＺ５、Ｚ６が特性インピーダンスＺ１のインピーダンス値の３倍のインピーダンス値を有する場合の周波数に対する利得の特性を示し、図６は同４倍のインピーダンス値を有する場合の周波数に対する利得の特性を示し、図７は同５倍のインピーダンス値を有する場合の周波数に対する利得の特性を示し、図８は同６倍のインピーダンス値を有する場合の周波数に対する利得の特性を示す。これら図５乃至図７において、基本波の周波数ｆ０を含む周波数帯Ｋ０における周波数８００ＭＨｚ（矢印↓を図示）に注目すると、図７に示す５倍のインピーダンス値する場合において反射特性Ｑの利得が例えば−３０ｄＢ以下の値となることが分かる。
【００２７】
又、第１のスタブＳ１は、特性インピーダンスＺ１における低インピーダンス側（ＺＡ側）に形成され、かつ基本波の３倍の周波数を有する高周波信号に含まれる高周波数の信号の通過を抑える線路の長さＬ５を有し、第２のスタブＳ２は、特性インピーダンスＺ１における高インピーダンス側（ＺＢ側）で、かつ基本波の３倍の周波数を有する高周波信号に含まれる低周波数の信号の通過を抑える線路の長さＬ６（≧Ｌ５）を有するので、これら線路の長さＬ５、Ｌ６の設定によっても、基本波の周波数ｆ０を含む周波数帯Ｋ０における周波数特性を改善できる。例えば、図９に示すように周波数帯Ｋ０における周波数８００ＭＨｚ（矢印↓を図示）に注目すると、利得が−２９．６２でほぼ−３０ｄＢである。  
これに対して第２のスタブＳ２の線路の長さがＬ６（≧Ｌ５）でなければ、例えば図１０に示すように同周波数８００ＭＨｚでの利得が−２５．８９であり、本実施の形態のように第２のスタブＳ２の線路の長さをＬ６（≧Ｌ５）にすることによって基本波の周波数ｆ０を含む周波数帯Ｋ０における周波数特性が改善できることが分かる。
【００２８】
なお、本発明は、上記実施の形態では、２本のスタブＳ１、Ｓ２を設けた場合について説明したが、これに限らず、例えば１本のスタブＳ１を形成したものとしてもよい。  
図１１は例えば１本のスタブＳ１を形成したときの当該スタブＳ１の特性インピーダンスＺ５が特性インピーダンスＺ１のインピーダンス値の５倍のインピーダンス値を有する場合の周波数に対する利得の特性を示し、図１２は同１０倍のインピーダンス値を有する場合の周波数に対する利得の特性を示し、図１３は同２０倍のインピーダンス値を有する場合の周波数に対する利得の特性を示す。  
このように１本のスタブＳ１であれば、当該スタブＳ１の線路の長さＬ５に対応する周波数、例えば、周波数３・ｆ０を含む周波数帯Ｋ３における１９０５ＭＨｚにおいて、反射特性Ｑが小さく、電力の通過特性Ｒが大きな値を示すことができる。
【００２９】
又、図１４に示すように４本のスタブＳ１０、Ｓ１１、Ｓ１２、Ｓ１３を形成したインピーダンス変換器１の構成図を示し、図１５は周波数に対する利得の特性を示す。これらスタブＳ１０、Ｓ１１、Ｓ１２、Ｓ１３は、それぞれインピーダンス変換後のインピーダンス値が５Ω以内の領域で、特性インピーダンスＺ１のインピータンス値の３倍の特性インピーダンス値を持つ。又、スタブＳ１０は、次式（７）により求められる線路の長さＬ１０に形成されている。同様に、各スタブＳ１１、Ｓ１２、Ｓ１３についても当該式（７）により求められる線路の長さＬ１１、Ｌ１２、Ｌ１３に形成されている。  
Ｌ１０、Ｌ１１、Ｌ１２、Ｌ１３≒（λ／４）・３・ｆ０  …（７）  
これら線路の長さＬ１０、Ｌ１１、Ｌ１２、Ｌ１３は、それぞれ減衰させる周波数３・ｆ０を含む周波数帯Ｋ３中の各周波数に対応した線路の長さに形成されている。
【００３０】
図１５に示すように線路の長さＬ１０は周波数１７００ＭＨｚに対応し、線路の長さＬ１１は周波数１９０５ＭＨｚに対応し、線路の長さＬ１２は周波数１７００ＭＨｚに対応し、線路の長さＬ１３は周波数２０５５ＭＨｚに対応する。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１：インピーダンス変換器、Ｚ１〜Ｚ４：特性インピーダンス、Ｓ１，Ｓ２，Ｓ１０，Ｓ１１，Ｓ１２，Ｓ１３：スタブ。
【図１】
2016052111.tif 000003
【図２】
2016052111.tif 000004
【図３】
2016052111.tif 000005
【図４】
2016052111.tif 000006
【図５】
2016052111.tif 000007
【図６】
2016052111.tif 000008
【図７】
2016052111.tif 000009
【図８】
2016052111.tif 000010
【図９】
2016052111.tif 000011
【図１０】
2016052111.tif 000012
【図１１】
2016052111.tif 000013
【図１２】
2016052111.tif 000014
【図１３】
2016052111.tif 000015
【図１４】
2016052111.tif 000016
【図１５】
2016052111.tif 000017